(57)【要約】【課題】製造や使い勝手に優れた排版ボックスを提供する。【解決手段】排版ボックスは印刷装置に着脱自在に設けられ、底面部７２と天面部８５の各前端部の間の開口部７１から使用済みの版を内部に収容する。底面部の後端にある左右壁部７４ａ，７４ｂ  間にはばねを介して上下動可能に基部７７が設けられ、基部に天面部が回動可能に取り付けられる。天面部はストッパ部材９２により底面部と平行に基部に取り付けられる。満杯時、操作者は操作突起８０と後壁下面に指を掛けて握り、基部と天面部を下降させ版を圧縮する。排版ボックスを装置本体から引出し、廃棄位置で下に傾けてストッパ部材を解除し、天面部を上方に開いて内部の版を落下して廃棄する。圧縮に必要な握力を決めるばねは任意に選定・交換可能である。天面部が連結された操作部は両端部で案内されるので天面部は底面部と平行に下降でき、開口部は均一に閉止され、版原紙はこぼれ落ちない。【選択図】図９
2004249674.tif 000002
【特許請求の範囲】
【請求項１】
印刷装置に着脱自在に設けられて前端の開口部から使用済みの版を内部に収容する排版ボックスにおいて、
底面部と、
前記底面部の後端に前記底面部に対して上下動可能に設けられた基部と、
前記基部を前記底面部から離れる方向に付勢する弾性部材と、
前記基部にその後端が回動可能に取り付けられて前記底面部の上方に配置された天面部と、
前記天面部が前記底面部に対して平行となる位置で前記天面部を前記基部に対して解除可能に固定する固定手段と、
を有する排版ボックス。
【請求項２】
前記基部は、操作者の指がかかる操作部と、前記操作部の両側に設けられた一対の案内手段とを有し、
前記弾性部材は、前記一対の案内手段にそれぞれ設けられたばねである請求項１記載の排版ボックス。
【請求項３】
前記固定手段は、天面部に移動可能に設けられたストッパ部材と、該ストッパ部材を前記操作部に係合させる付勢手段とを有する請求項２記載の排版ボックス。
【請求項４】
前記底面部と前記天面部の各両側部の空隙を閉止するために、前記底面部の両側部にそれぞれ側板を設けた請求項１又は２又は３記載の排版ボックス。
【請求項５】
請求項１〜４のいずれかに記載の排版ボックスを着脱自在とする排版ボックス挿入室を設けたことを特徴とする孔版印刷装置。
【発明の詳細な説明】
【０００１】
【発明の属する技術分野】
本発明は、印刷装置の本体に着脱自在に設けられ、使用済みの版を収容する排版ボックス及びこれを使用する孔版印刷装置に関する。
【０００２】
【従来の技術】
印刷装置の一種、例えば孔版印刷装置は、印刷すべき原稿の画像データを読み取るスキャナー部と、このスキャナー部で読み取った画像データに基づいて孔版原紙（版原紙）に穿孔する製版部と、この製版部で製版された孔版原紙を円筒状の版胴に装着し、回転する該版胴に印刷圧を作用させながら印刷用紙を搬送してインク画像を印刷用紙に転写する印刷部と、この印刷部に印刷用紙を給紙する給紙部と、印刷部で印刷された印刷用紙を排紙する排紙部と、版胴に装着された孔版原紙を取り除き、収容しておく排版部とを備えている。
【０００３】
そして、新たな画像データによる印刷を行う場合には、版胴に装着されている使用済みの孔版原紙を取り外し、この取り外した孔版原紙を排版ボックスまで搬送し、ここに収容する排版動作を行い、その一方で、新たな画像データに基づいて製版された孔版原紙を版胴に着版して印刷動作を実行するものであり、これを繰り返すことで次々と新たな画像データに基づいて印刷を繰り返し実行することができる。
【０００４】
図２０には第１従来例の排版ボックス１００の装着状態を示す概略構成図が示されている。図２０において、版胴１０１は装置本体１０２に回転自在に設けられ、この版胴１０１の外周面に孔版原紙１０３が巻き付け装着される。この版胴１０１の外周面の近傍には一対の排版搬送ロール１０４ａ、１０４ｂが配置され、この一対の排版搬送ロール１０４ａ、１０４ｂの位置を開口部として排版ボックス１００が配置されている。
【０００５】
排版ボックス１００は、一対の排版搬送ロール１０４ａ、１０４ｂが配置される前方側の一部と上方側の全部が開口部１０５として構成され、前方側開口部と反対側には取手部１０６が設けられている。排版ボックス１００は、装置本体１０２に対して着脱自在に設けられており、この取手部１０６を手で持ち装置本体１０２に対し挿入又は引き出し動作を行うことができる。装置本体１０２側には、排版ボックス１００を装着位置に固定し、装置本体１０２外への引き出しを阻止するロック部材１０７が設けられている。このロック部材１０７にはロック操作レバー部１０７ａが一体的に設けられており、このロック部材１０７による排版ボックス１００のロックは、ロック操作レバー部１０７ａを押し下げることで解除される。
【０００６】
上記構成において、排版ボックス１００が孔版原紙１０３で満杯になると、図２１（Ａ）に示すように、ユーザが一方の手でロック操作レバー部１０７ａを下方に押し下げ、他方の手で排版ボックス１００の取手部１０６を握持して排版ボックス１００を装置本体１０２から引き出す。そして、図２１（Ｂ）に示すように、取り出した排版ボックス１００をゴミ箱等の位置まで運び、これを傾ければ、内部の孔版原紙１０３が自重によりゴミ箱内に落下する。空になった排版ボックス１００を孔版印刷装置の位置まで運び、図２１（Ｃ）に示すように、一方の手でロック操作レバー部１０７ａを押し下げながら他方の手で取手部１０６を持って排版ボックス１００を装置本体１０２に挿入し、装着位置まで押し込めば、装置本体１０２への装着は完了する。
【０００７】
図２２には第２従来例の排版ボックス１１０の装着状態を示す概略構成図が示されている。この排版ボックス１１０とその着脱構造は、下記特許文献１にて開示されたものである。
【０００８】
【特許文献１】
公開特許公報（特開平６−１９９０２９号）
【０００９】
図２２において、版胴１０１は装置本体１０２に回転自在に設けられ、この版胴１０１の外周面に孔版原紙１０３が巻き付け装着される。版胴１０１の外周面の近傍には一対の排版搬送ロール１０４ａ、１０４ｂが配置され、この一対の排版搬送ロール１０４ａ、１０４ｂの位置を開口部として排版ボックス１１０が配置されている。
【００１０】
排版ボックス１１０は、一対の排版搬送ロール１０４ａ、１０４ｂが配置される前方側の一部のみが開口部１１１として構成され、上方側は支持軸１１２を中心として回転自在の蓋１１３で被われている。この蓋１１３の上面中央には、当該蓋１１３を開放するためのつまみ部１１４が設けられている。又、排版ボックス１１０には、前方側開口部１１１とは反対側に取手部１１５が設けられており、この取手部１１５の内側近傍にはロック解除操作部１１６が設けられている。
【００１１】
取手部１１５を握持すると、ロック解除操作部１１６も共に握持することによってロックが解除されるよう構成されている。ロック解除操作部１１６によりロックが解除されるロック部（図示せず）は、排版ボックス１１０が装置本体１０２の装着位置から外に引き出されないようにロックするためのものである。排版ボックス１１０は、取手部１１５を手で持ち、装置本体１０２に対して挿入又は引き出し動作を行うことにより、装置本体１０２に対して自在に着脱することができる。
【００１２】
上記構成において、排版ボックス１１０が孔版原紙１０３で満杯になると、図２３（Ａ）に示すように、ユーザが一方の手で排版ボックス１１０の取手部１１５を握持して排版ボックス１１０を装置本体１０２から引き出す。そして、図２３（Ｂ）に示すように、取り出した排版ボックス１１０を例えばゴミ箱の位置まで運び、傾けると共につまみ部１１４を他方の手で持って蓋１１３を開けば内部の孔版原紙１０３が自重によりゴミ箱内に落下する。空になった排版ボックス１１０を孔版印刷装置の位置まで運び、一方の手で取手部１１５を持ち排版ボックス１１０を装置本体１０２に挿入し、装着位置まで押し込めば装置本体１０２への装着は完了する。
【００１３】
しかしながら、上記第１従来例の排版ボックス１００は、上方が開口しているため、排版ボックス１００を装置本体１０２より引き出した際に、内部の孔版原紙１０３は圧縮が解除された状態となって膨張し、開口部１０５の上方側より外にあふれるという問題がある。孔版原紙１０３が排版ボックス１００の外にあふれると、下に落下したり、片手で持ち運びできなかったり、外にあふれる孔版原紙１０３を押さえた手にインクが付着したりするため、孔版原紙１０３の廃棄作業が容易でない。
【００１４】
又、第２従来例の排版ボックス１１０では、上方側が蓋１１３で被われているため、排版ボックス１１０を装置本体１０２から引き出した際に内部の孔版原紙１０３が外にあふれるという問題はない。しかし、排版ボックス１１０の上方側を被う蓋１１３は、排版ボックス１１０の本体に回転自在に支持されているだけなので、排版ボックス１１０を搬送途中に誤って傾けると蓋１１３が開いて内部の孔版原紙が外にこぼれ落ちて周囲をインクで汚損することがあるという問題があった。
【００１５】
そこで本願出願人は、前述した問題を解決すべく、版原紙の廃棄作業が容易にでき、且つ、構成が簡単で、コスト安である排版ボックスを提供するため、次の特許文献２に開示された排版ボックスを提案した。
【００１６】
【特許文献２】
公開特許公報（特開２００２−９６５４２）
【００１７】
図２４に示すように、この排版ボックス２００は、装置本体２０１に着脱自在に設けられて、開口部２０４から導かれる使用済みの版原紙を内部に収容するものである。そして、この排版ボックス２００は、所定間隔をおいて対面する底面部２０２と天面部２０３の一端側を弾性変形部２０５で連結してなる部材であり、全体として略Ｕ字形をなしている。底面部２０２と天面部２０３の他端側は開口部２０４となっており、この排版ボックス２００を装置本体２０１の装着位置に正規に装着した状態では、装置本体２０１の一対の排版搬送ロール２０６ａ，２０６ｂが開口部２０４に位置するように構成されている。
【００１８】
この排版ボックス２００によれば、内部の版原紙が満杯になった場合には、図２５に示すように、底面部２０２と天面部２０３を手で握持し、双方の面を互いに近接する方向に押圧すれば、弾性変形部２０５の弾性変形により底面部２０２と天面部２０３が近接して内部の版原紙が圧縮される。この状態で排版ボックス２００を装置本体２０１から引き出し、引き出した排版ボックス２００をゴミ箱等の廃棄位置まで運び、廃棄位置で底面部２０２と天面部２０３への押圧力を緩めれば、弾性変形部２０５が弾性復帰変形して底面部２０２と天面部２０３との間が広がり、圧縮挟持されていた版原紙が自重等により落下する。空になった排版ボックス２００を装置本体２０１に挿入して装着することにより、版原紙の廃棄作業が完了する。
【００１９】
排版ボックス２００が装置本体２０１から引き出された際には、版原紙は底面部２０２と天面部２０３によって挟持された圧縮状態であることから、外にあふれることがない。また、排版ボックス２００の構成は底面部２０２と天面部２０３とこれを連結する弾性変形部２０５とであり、回転支持部等が必要ない。排版ボックス２００は、底面部２０２と天面部２０３とを手で掴んで持つため、取手部等を別途設ける必要がない。又、底面部２０２と天面部２０３とを片手で握持する大きさにすることによって版原紙の廃棄作業を全て片手で行うことができる。
【００２０】
【発明が解決しようとする課題】
しかしながら、特許文献２に開示された前記排版ボックスも、印刷装置等に着脱可能に取り付けられる排版ボックスとしては、製造技術上の問題や使用時の使い勝手等の面で必ずしも十分なものとはいえず、解決すべきいくつかの課題の存在が見出されるに至った。
【００２１】
すなわち、特許文献２に開示された前記排版ボックスによれば、略Ｕ字形の一体構造であり、底面部２０２と天面部２０３の間にある弾性連結部２０５によって弾性変形機能が定まるわけであるが、その曲率や板厚等の寸法精度を所定の値に精密に設定しておかないと、ユーザが排版作業において排版ボックス２００を片手で掴む際に必要な握力を所要の値に設定できない。つまり、収容した版原紙を圧縮して排版ボックス２００を装置本体の外に引き出すために、排版ボックスを片手で掴むのに必要な握力は所定の最適値に設定する必要があるが、Ｕ字状の板ばねで所定の弾性を実現するには精密な金型設計と試作・実験が必要であり、製造に多大なコストを要するという問題があった。
【００２２】
また、特許文献２に開示された前記排版ボックスによれば、上述したように、板材を実質的に略Ｕ字形に成形したような基本構造であって、片手で掴むだけで収納した版原紙を圧縮できるが、その長手方向の中央で掴まなければ、細長いスリット状の開口部２０４が長手方向の全長にわたって均一に閉止されない場合があるという問題があった。例えば、排版作業時に、ユーザが不用意に排版ボックス２００の長手方向の一端部側を掴んで装置本体２０１外に引き出した場合には、開口部２０４の当該一端部側は閉止されるが、開口部２０４の他端部側は完全には閉止されず、排版ボックス２００を取り外してごみ箱の位置まで運ぶ途中で収容した版原紙が外にこぼれてインクで周囲を汚損する場合があった。
【００２３】
さらに、特許文献２に開示された前記排版ボックスによれば、上述したように、板材を実質的に略Ｕ字形に成形したような基本構造であり、側面側は開放されているため、排版ボックス２００を取り外してごみ箱の位置まで運ぶ途中で収容した版原紙が該側面側から外にこぼれてしまう場合もあった。
【００２４】
さらに、特許文献２に開示された前記排版ボックスは、弾性連結部２０５を含めて一体に構成されているため、使用につれて弾性連結部２０５が劣化して弾性が変化すると、修理ができず、排版ボックス全体を交換せざるを得ないという問題があった。また、ユーザによっては、弾性連結部２０５の当初の弾性では強すぎて作業時に大きな握力が必要であるため、弾性連結部２０５の弾性を小さくしたい場合もありうるが、特許文献２に開示された前記排版ボックスは弾性連結部２０５を含めた一体構造であるため、かかる弾性の調整は不可能であった。
【００２５】
本発明は、かかる課題を解決するためになされたものであり、排版ボックスを片手で掴んで収容した版原紙を圧縮できるタイプの排版ボックスにおいて、排版ボックスを片手で掴んで内部の版原紙を圧縮するのに適当な握力を簡易かつ精密に設定でき、また排版ボックスを片手で掴んだ場合に排版ボックスの開口部が均一に閉止されるために版原紙がこぼれ落ちる問題もなく、さらにまた、開口部を閉じるための弾性について修理や調整が可能であり、製造や使い勝手に優れた排版ボックスと、かかる排版ボックスを備えた孔版印刷装置を提供することを目的としている。
【００２６】
【課題を解決するための手段】
請求項１に記載された排版ボックスは、印刷装置に着脱自在に設けられて前端の開口部から使用済みの版を内部に収容する排版ボックスにおいて、底面部と、前記底面部の後端に前記底面部に対して上下動可能に設けられた基部と、前記基部を前記底面部から離れる方向に付勢する弾性部材と、前記基部にその後端が回動可能に取り付けられて前記底面部の上方に配置された天面部と、前記天面部が前記底面部に対して平行となる位置で前記天面部を前記基部に対して解除可能に固定する固定手段とを有している。
【００２７】
請求項２に記載された排版ボックスは、請求項１記載の排版ボックスにおいて、前記基部は、操作者の指がかかる操作部と、前記操作部の両側に設けられた一対の案内手段とを有し、前記弾性部材は、前記一対の案内手段にそれぞれ設けられたばねであることを特徴としている。
【００２８】
請求項３に記載された排版ボックスは、請求項２記載の排版ボックスにおいて、前記固定手段は、天面部に移動可能に設けられたストッパ部材と、該ストッパ部材を前記操作部に係合させる付勢手段とを有することを特徴としている。
【００２９】
請求項４に記載された排版ボックスは、請求項１又は２又は３記載の排版ボックスにおいて、前記底面部と前記天面部の各両側部の空隙を閉止するために、前記底面部の両側部にそれぞれ側板を設けたことを特徴としている。
【００３０】
請求項５に記載された孔版印刷装置は、請求項１〜４のいずれかに記載の排版ボックスを着脱自在とする排版ボックス挿入室を設けたことを特徴としている。
【００３１】
【発明の実施の形態】
以下、本発明の一実施形態を図面に基づいて説明する。
＜孔版印刷装置の構成＞
図１〜図１９は本発明の一実施形態を示し、この実施形態では本発明を孔版印刷装置の排版ボックスに適用した場合が示されている。図１は孔版印刷装置の全体概略構成図、図２は排版ユニットの斜視図、図３は排版ボックスの平面図、図４は排版ボックスの側面図、図５は排版ボックスの正面図、図６は排版ボックスの背面図、図７は図３のＡ−Ａ切断線における断面図、図８は図３のＢ−Ｂ切断線における断面図、図９は排版ボックスの前面側から見た斜視図、図１０は排版ボックスの背面側から見た斜視図、図１１は天面部が下降した状態にある排版ボックスの前面側から見た斜視図、図１２は天面部が下降した状態にある排版ボックスの背面側から見た斜視図、図１３は天面部が下降した状態にある排版ボックスの図７と同一の切断線における断面図、図１４は天面部が下降した状態にある排版ボックスの図８と同一の切断線における断面図、図１５は天面部を開放した状態にある排版ボックスの前面側から見た斜視図、図１６は天面部を開放した状態にある排版ボックスの背面側から見た斜視図、図１７は天面部を開放した状態にある排版ボックスの側面図、図１８は天面部を開放した状態にある排版ボックスの図７と同一の切断線における断面図、図１９は天面部を開放した状態にある排版ボックスの図８と同一の切断線における断面図である。
【００３２】
図１において、孔版印刷装置１は、主として原稿読取部２と製版部３と印刷部４と給紙部５と排紙部６と排版部７から構成されている。
【００３３】
『原稿読取部』
原稿読取部２は、装置本体１０の上面側に設けられた原稿読取ユニット１１を有している。この原稿読取ユニット１１は、装置本体１０の上面に設けられた上方開口部に回転支持軸１２を介して取り付けられている。従って、この原稿読取ユニット１１は、この上方開口部を塞ぐ閉位置と上方開口部を開放する開位置との間で、回転支持軸１２を中心として回動自在である。
【００３４】
原稿読取部２は、原稿読取ユニット１１の上面に設けられた原稿斜め載置面１３と、この原稿斜め載置面１３に載置された原稿を搬送する複数の原稿搬送ロール１４と、この原稿搬送ロール１４を回転させるロール回転駆動手段（図示せず）と、原稿搬送ロール１４で搬送される原稿の画像データを読み取るラインイメージスキャナー１５とを有している。
【００３５】
そして、原稿斜め載置面１３に置かれた原稿は、原稿搬送ロール１４の回転により搬送され、この搬送される原稿内容をラインイメージスキャナー１５が読み取る。
【００３６】
『製版部』
製版部３は、装置本体１０内に設けられ、ロール巻きにされた長尺状の版原紙である孔版原紙１８を収容し、且つ、回転自在に支持する原紙収容部１９と、この原紙収容部１９に対し孔版原紙１８の搬送方向の下流に配置されたサーマルヘッド２０と、このサーマルヘッド２０の対向位置に配置され、メインモータ（図示せず）の駆動力により回転するプラテンロール２１と、サーマルヘッド２０及びプラテンロール２１に対し孔版原紙１８の搬送方向の下流に配置され、孔版原紙１８を切断する原紙カッタ２２とを有している。
【００３７】
前記原稿読取ユニット１１を回転支持軸１２を中心に上方の開位置へ移動させ、装置本体１０の上方開口部を開放すると、装置本体１０内にある原紙収容部１９が外部に表れる。そして、この外部に対して開放された原紙収容部１９から孔版原紙１８のロールを出し入れすることにより、該孔版原紙１８の交換を行うことができる。サーマルヘッド２０は、前記原稿読取ユニット１１の下面側に固定されており、プラテンロール２１は装置本体１０側に支持されている。従って、サーマルヘッド２０は、原稿読取ユニット１１が開位置にある場合はプラテンロール２１から離れた上方の離間位置に位置し、原稿読取ユニット１１が閉位置にある場合はプラテンロール２１に圧接する圧接位置に位置する。
【００３８】
原紙収容部１９に新たな孔版原紙１８のロールを装着したい場合には、まず原稿読取ユニット１１を開位置に設定して原紙収容部１９に新たな孔版原紙１８のロールを装着する。次に、孔版原紙１８のロールから帯状の孔版原紙１８を繰り出し、これをプラテンロール２１の上を経て所定の経路に配置する。そして、原稿読取ユニット１１を閉位置に設定すれば、前記孔版原紙１８は、原稿読取ユニット１１の下面側にあるサーマルヘッド２０とプラテンロール２１との間に挟まれる。
【００３９】
そして、サーマルヘッド２０とプラテンロール２１との間に配置された孔版原紙１８をプラテンロール２１の回転により搬送し、前記ラインイメージスキャナー１５で読み取った画像データに基づいてサーマルヘッド２０の各点状発熱体を選択的に発熱動作させることにより、孔版原紙１８を感熱穿孔して孔版画像を形成し、この製版された孔版原紙１８の後端側を原紙カッタ２２で切断し、所定長さの孔版原紙１８を作成する。
【００４０】
『印刷部』
印刷部４は、多孔構造によるインク通過性の部材（例えばスクリーン）で外周壁２５ａが構成され、メインモータ（図示せず）の駆動力によって図１のａ矢印方向に回転する円筒状の版胴２５と、この版胴２５の外周壁２５ａに設けられ、孔版原紙１８の先端をクランプするクランプ部２６とを有している。
【００４１】
又、印刷部４は、前記版胴２５の内部に配置され、外周壁２５ａの内周面に接触するスキージロール２７と、このスキージロール２７に所定のギャップを介して配置されたドクターロール２８と、この双方のロール２７、２８の間のくさびエリアにインクを供給するインク供給部２９とを有している。又、スキージロール２７に版胴２５の外周壁２５ａを介して対向する外側の位置に配置された押圧ロール３０と、この押圧ロール３０を版胴２５の外周壁２５ａに押圧する押圧位置（図１の実線位置）と版胴２５の外周面から離間する離間位置（図１の仮想線位置）との間で移動させるプレス圧手段（図示せず）とを有している。
【００４２】
押圧ロール３０は、印刷時には版胴２５の回転に連動して押圧位置と離間位置との間を変移し、版胴２５の回転に同期して搬送されて来る印刷媒体である印刷用紙３１の通過時には押圧位置に位置し、それ以外の時（印刷用紙３１の非通過時）には離間位置に位置するよう構成されている。
【００４３】
そして、製版部３から搬送される孔版原紙１８の先端をクランプ部２６でクランプし、このクランプした状態で版胴２５が回転して孔版原紙１８が版胴２５の外周壁２５ａに巻き付け装着される。版胴２５の回転に同期して搬送されて来る印刷用紙３１を押圧ロール３０が版胴２５の孔版原紙１８に押圧することにより、印刷用紙３１に孔版原紙１８の穿孔部分からインクが転写されて画像が印刷される。
【００４４】
『給紙部』
給紙部５は、印刷媒体である印刷用紙３１が積層される給紙台３５と、この給紙台３５から最上位置の印刷用紙３１のみを送り出す一次給紙ロール３６と、この一次給紙ロール３６によって送り出された印刷用紙３１を版胴２５の回転に同期して版胴２５と押圧ロール３０間に搬送する一対の二次給紙ロール３７ａ、３７ｂとを有している。一次給紙ロール３６や二次給紙ロール３７ａ、３７ｂは各給紙クラッチ（図示せず）を介してメインモータ（図示せず）の回転が選択的に伝達されることによって所定タイミングで回転されるよう構成されている。
【００４５】
『排紙部』
排紙部６は、版胴２５と押圧ロール３０によって印刷が行なわれる位置よりも搬送方向の下流側であって版胴２５の外周壁２５ａに近接した位置に配置された用紙分離爪部４０と、この用紙分離爪部４０と版胴２５の外周壁２５ａとの間にエアーを吹き付ける送風手段４１と、版胴２５の外周壁２５ａより離間した印刷用紙３１を受け取り、この受け取った印刷用紙３１を搬送するベルト搬送手段４２と、ベルト搬送手段４２の最下流の下方位置に配置され、排出される印刷用紙３１を受け入れて積層状態で載置する排紙台４３とを有している。
【００４６】
ベルト搬送手段４２は、一対のベルト掛け部材４４ａ、４４ｂと、この一対のベルト掛け部材４４ａ、４４ｂ間に掛けられたベルト４５と、このベルト４５の印刷用紙３１の搬送面側を吸引するための吸引手段（図示せず）と、上記ベルト掛け部材４４ａ（又は４４ｂ）を介してベルト４５をメインモータ（図示せず）の駆動力によって回転駆動させるベルト駆動手段（図示せず）とを有している。そして、印刷された印刷用紙１８の先端を送風手段４１のエアーや用紙分離爪部４０の引き剥がしで版胴２５から離間させ、版胴２５から離れた該印刷用紙３１をベルト搬送手段４２によって排紙台４３まで搬送するものである。
【００４７】
『排版部』
排版部７は、装置本体１０の上面側に移動自在に設けられた排版ユニット５０を有している。この排版ユニット５０は、装置本体１０に対して平行リンク部材５１ａ、５１ｂを介して連結されており、装置本体１０の上面側に設けられた前述した上方開口部を塞ぐ閉位置と、該上方開口部を開放する開位置との間を、平行移動できるように構成されている。つまり、装置本体１０の上面側は上方開口部とされているが、ここに前述した原稿読取ユニット１１と該排版ユニット５０とが配置され、これらユニット１１、５０を開位置に移動させることにより装置本体１０の上面側がほぼ全開状態で開放される構成となっている。
【００４８】
排版部７は、版胴２５に巻き付け装着された孔版原紙１８の先端がクランプ解除され、このクランプ解除された孔版原紙１８を版胴２５から引き剥がしながら搬送する排版搬送手段である一対の排版搬送ロール５２ａ、５２ｂと、この一対の排版搬送ロール５２ａ、５２ｂによって搬送されて来る孔版原紙１８を収納する排版ボックス７０とを有している。一対の排版搬送ロール５２ａ、５２ｂは、排版ユニット５０側に支持されており、排版ユニット５０が閉位置に設定された場合には、排版搬送ロール５２ｂに排版クラッチ（図示せず）を介してメインモータ（図示せず）の回転が選択的に伝達されるよう構成されている。
【００４９】
『排版ボックスの構成』
次に、排版ボックス７０に係わる構成を図２〜図１０を用いて詳しく説明する。以下の説明では、排版ボックス７０の各部分ごとに、必要に応じて当該部分の構造の特徴が最もよく表れている図を挙げて説明するが、これは当該部分がその他の図に記載されていないことを意味しない。
【００５０】
図２に示すように、排版ユニット５０には上プレート５０ａと下プレート５０ｂで囲まれた排版ボックス挿入室５４が構成されており、この排版ボックス挿入室５４の後方部は装置本体１０の外部に露出している。この後方の露出部から、排版ボックス７０を前記排版ボックス挿入室５４内に挿入して装着できる。反対に、前記排版ボックス挿入室５４内に装着された排版ボックス７０を引き出して装置本体１０の外部に取り出すことができる。
【００５１】
図１乃至図２に示すように、この排版ボックス７０は、排版ボックス挿入室５４内の装着位置では、前端側の開口部７１が一対の排版搬送ロール５２ａ、５２ｂに臨むように配置され、排版搬送ロール５２ａ，５２ｂによって搬送された使用済みの孔版原紙を開口部７１から受け入れて内部に収容することができる。
【００５２】
図９又は図１０に示すように、排版ボックス７０は、少なくとも孔版原紙１８の幅以上の幅を有する略平板状の底面部７２を有している。底面部７２の左右の側縁には、それぞれ所定高さの側板７３が設けられている。また、底面部７２の後端には所定高さの後壁７４が設けられている。図８に示すように、後壁７４の内面は湾曲面をもって底面部７２の内面  （上面）に連続している。図１０に示すように、この後壁７４の中央には上端に開放された開口７５が形成されており、後壁７４を左後壁７４ａと右後壁７４ｂの２つに分割している。また、後壁７４の前記開口７５の下方には、排版ボックス７０を掴む際の手掛かりとなる凹部７６が形成されている。
【００５３】
図１０に示すように、前記左後壁７４ａと右後壁７４ｂの間には、上下動可能な部材である基部７７が設けられている。この基部７７は、後壁７４の開口７５に横置きで配置される略直方体形の操作部７８と、該操作部７８の両端部の下面から下方に突出した一対の案内手段７９（図８参照）とを有している。前記操作部７８は、その後面中央に操作者が親指を乗せるための操作突起８０を有している。また、前記案内手段７９は棒状であり、図３に示すように、その径は平面視において操作部７８の端部よりも小さく、図８に示すように、その長さは後壁７４の高さの半分程度である。
【００５４】
一方、図１０に示すように、前記左後壁７４ａ及び右後壁７４ｂには、その上端面と前記開口７５の内側面との双方に開口する案内孔８１が形成されている。この案内孔８１は、図８に示すように、前記後壁７４の開口７５の底に相当する位置まで形成されている。
【００５５】
そして、図１０に示すように、この両案内孔８１に操作部７８の両端部と前記一対の案内手段７９，７９が挿入されており、これによって基部７７は全体として後壁７４に対して上下移動可能となっている。ここで、操作部７８の両端部は案内孔８１の内面に接して摺動可能となっている。また、図８に示すように、案内孔８１の底には案内手段７９が摺動可能に出没する摺動孔８２が形成されている。そして、この案内孔８１の内部には弾性部材としてのコイルばね８３が設けられているが、このばね８３は案内手段７９の周囲に設けられており、その上端は操作部７８の端部の下面に当接している。
【００５６】
従って、操作者が、操作部７８の操作突起８０に親指を掛け、他の指を後壁７４の凹部７６に掛けて握り方向に力を入れれば、ばね８３の付勢力に抗しながら操作部７８は案内孔８１に沿って底面部７２に対して平行を保持した状態で下降することができる。このとき、案内手段７９は摺動孔８２から下方に突出する。
【００５７】
図９に示すように、前記基部７７には、天面部８５の後端が回動軸８６をもって回動可能に取り付けられている。天面部８５は、前記底面部７２と同様、少なくとも孔版原紙１８の幅以上の幅を有する略平板状の板部材であり、前記底面部７２の上方に配置される。
【００５８】
図３、図９等に示すように、前記天面部８５には、前記天面部８５が前記底面部７２に対して平行となる位置で前記天面部８５を前記基部７７に対して固定する固定手段８７が設けられている。すなわち、天面部８５の上面中央には、溝８８とカバー８９からなる案内路９０と、貫通孔を有する板部９１とが設けられている。前記案内路９０内には、板状のストッパ部材９２が摺動可能に設けられている。ストッパ部材９２は一端側が上方に立ち上げられた操作片９３である略Ｌ字形の板材であり、その操作片９３には案内棒９４が取り付けられている。該案内棒９４は前記板部９１の貫通孔を挿通しており、その先端には抜け止め９５が設けられている。そして、ストッパ部材９２の操作片９３と板部９１との間において、該案内棒９４の周囲には付勢手段としてのコイルばね９６が設けられている。このばね９６はストッパ部材９２を板部９１と反対側に向けて付勢し、ストッパ部材９２の他端を天面部８５の後端から外方に突出させる。一方、前記ストッパ部材９２の他端に隣接する前記基部７７の操作部７８には、前記天面部８５が前記底面部７２と平行になった状態で前記ストッパ部材９２の他端が係合する係合部９７が形成されている。
【００５９】
従って、通常は、天面部８５は底面部７２と平行になった状態でストッパ部材９２によって操作部７８に固定されているが、ストッパ部材９２の操作片９３をばねの付勢力に抗して板部９１に向けて押せば、ストッパ部材９２の他端が操作部７８の係合部９７から外れるので、天面部８５は基部７７に対して回動可能となり、天面部８５を上方に向けて回動させれば排版ボックス７０の内部空間を開放することができる。
【００６０】
図３、図９等に示すように、底面部７２と天面部８５の前端側には、前方に向け、かつ互いに近接する方向に突出する握持爪部７２ａ，８５ａがそれぞれ設けられている。この一対の握持爪部７２ａ，８５ａの先端側には、一対の排版搬送ロール５２ａ、５２ｂとの干渉を避けるための凹部７２ｂ，８５ｂが設けられており、一対の握持爪部７２ａ，８５ａの先端を一対の排版ロール５２ａ、５２ｂに十分近接させて配置できるようになっている。
【００６１】
図３、図９等に示すように、天面部８５の前端側には上方に突出するロック部９８が設けられている。また、排版ボックス７０を排版ユニット５０に装着した際、前記ロック部９８に対向する排版ユニット５０の所定位置には、ロック部９８に係止するロック係止部５５（図２に示す）が設けられている。排版ボックス７０は、前端側の開口部７１を閉じる方向に天面部８５を下降させた状態で排版ボックス挿入室５４内に挿入可能である。そして、この装着位置で手を離せば、ばね８３の付勢力によって天面部８５が上方の原位置に復帰し、ロック部９８がロック係止部５５に係止されるので、排版ボックス挿入室５４からの引き出しが阻止される。操作部７８を押えて天面部８５を下降させれば、ロック部９８がロック係止部５５から離れてロックが解除されるので、排版ボックス７０を装置本体１０外に引き出すことができる。
【００６２】
なお、図３、図９等に示すように、底面部７２と天面部８５の各内面、及び、一対の握持爪部の各内面には、孔版原紙１８が挿入する方向に沿って複数のリブ９９が設けられている。
【００６３】
＜製版及び印刷動作＞
次に、上記孔版印刷装置１の製版、印刷動作を簡単に説明する。製版動作が選択されると、版胴２５に孔版原紙１８が巻付け装着されているか否かをチェックし、装着されている場合には孔版原紙１８の先端のクランプを解除し、孔版原紙１８の先端を一対の排版搬送ロール５２ａ、５２ｂ間に導き、一対の排版搬送ロール５２ａ、５２ｂの回転により孔版原紙１８を版胴２５より剥ぎ取りながら搬送する。一対の排版搬送ロール５２ａ、５２ｂにより搬送された孔版原紙１８は排版ボックス５３の開口部７１より内部に送り込まれ、これで排版動作が終了する。
【００６４】
排版処理が終了すると、原稿読み取り動作により読み取った画像データに基づき孔版原紙１８にサーマルヘッド２０にて感熱穿孔する。そして、製版された孔版原紙１８が版胴２５に巻き付け装着される着版処理が行われ、これで製版動作が終了する。
【００６５】
次に、印刷動作が選択されると、給紙台３５上に印刷用紙３１があるか否かをチェックし、印刷用紙３１がなければ紙なしエラー処理を行う。又、孔版原紙１８が版胴２５に着版されているか否かをチェックし、孔版原紙１８が着版されていなければ版無しエラー処理を行う。又、スキージロール２７及びドクターロール２８間のインク溜まりにインクがあるか否かをチェックし、インクがなければインク無しエラー処理を行う。
【００６６】
そして、これらのチェックを全て通ると、版胴２５が回転され、この回転に同期して給紙部５より印刷用紙３１が版胴２５に給紙される。この給紙された印刷用紙３１は押圧ロール３０で版胴２５の孔版原紙１８に押圧されることによって印刷用紙３１にインク画像が転写され、印刷された印刷用紙３１は用紙分離爪部４０や送風手段４１等の作用により版胴２５の外周壁２５ａより剥離されてベルト搬送手段４２で搬送され、ベルト４５の最下流より排紙台４３に排出される。排紙台４３に排紙された印刷用紙３１はここで積層状態で載置される。この印刷動作が設定枚数だけ行われて印刷動作が完了する。
【００６７】
＜孔版原紙の廃棄動作＞
次に、排版ボックス７０内に収納された孔版原紙１８を装置本体１０外に廃棄する際の動作について説明する。以下の説明にあたっては、天面部８５が所定位置から下降した状態を示す図１１〜図１９を主として参照する。
【００６８】
排版ボックス７０の内部にある孔版原紙１８が満杯になると、図示しない操作者が、排版ボックス７０を装置外に取り出す。すなわち、操作者は、図１０において、操作部７８の操作突起８０に親指を掛け、他の指を後壁７４の凹部７６に掛け、握る方向に力を入れる。図１１〜図１４に示すように、ばねの付勢力に抗して操作部７８は案内孔８１に沿って平行に下降する。操作部７８は、その両端で案内されているので、移動状態が安定しており、移動中に傾くことがない。従って、操作部７８に連結された天面部８５は底面部７２と略平行な状態を保持しながら底面部７２に接近することができ、その結果、該排版ボックス７０内に収納されていた使用済みの孔版原紙は一様に圧縮される。また、前述したようにロック部９８がロック係止部５５から離れてロックが解除されるので、排版ボックス７０を排版ユニット５０から外して装置本体１０外に取り出すことができる。
【００６９】
排版ボックス挿入室５４から引き出した排版ボックス７０をゴミ箱等の廃棄位置まで運ぶ。ここで、底面部７２と天面部８５の各先端側にある開口部７１は均一に閉止されているので、背部の孔版原紙が外にこぼれ落ちるおそれはない。また、底面部７２と天面部８５の各両側部は、その少なくとも一部が側板７３で覆われているので、底面部７２と天面部８５の側面側の隙間から廃棄された孔版原紙が外にこぼれ落ちるおそれも少ない。さらに、天面部８５は固定手段８７によって固定されているので、排版ボックス７０を搬送途中に傾けても天面部８５が誤って開いてしまうことはなく、内部の孔版原紙が外にこぼれ落ちることはない。
【００７０】
ゴミ箱等の廃棄位置において、操作者は操作部７８の操作突起８０に加えていた力を弱める。操作部７８はばねの付勢力によって上方の原位置に戻り、天面部８５もこれと共に上昇して底面部７２との間隔が広がり、排版ボックス７０の前端側の開口部７１が広がる（図９参照）。この状態で排版ボックス７０を開口部７１を下にして傾ければ、排版ボックス７０内に収納されていた廃棄された孔版原紙は開口部７１から出て落下し、ゴミ箱等に廃棄される。開口部７１から孔版原紙が出にくい場合には、開口部７１を下に向けた状態で排版ボックス７０を左右に傾ければ、側板７３の前方において開いている天面部８５と底面部７２の側縁の間隙から、廃棄された孔版原紙が外に出て落下し、ゴミ箱等に廃棄される。
【００７１】
上述のように天面部８５と底面部７２の間隔が最も広い状態で、前端側の開口部７１や天面部８５と底面部７２の側縁の間隙から孔版原紙が排出されない場合には、図１１に示すように天面部８５を下降させて底面部７２との間で孔版原紙を圧縮した状態において、排版ボックス７０を下に向けたまま、図１５に示すように天面部８５の固定手段８７を解除して天面部８５を開き、排版ボックス７０の内部空間を開放する。
【００７２】
すなわち、操作者は、片手で排版ボックス７０の基部７７等を保持したまま  （図１１に示す状態）、もう一方の手でストッパ部材９２を操作する。ストッパ部材９２の操作片９３をばね９６に抗して板部９１の側に向けて移動させれば、ストッパ部材９２の他端は操作部７８の係合部９７から外れ、天面部８５は回動軸８６を中心として回動可能となる。具体的には、親指と人差し指で操作片９３と板部９１をつまんで操作片９３によるロックを解除し、操作片９３と板部９１をつまんだまま上方に持ち上げて図１５に示すように天面部８５を上方に回動させる。このような簡単な操作で排版ボックス７０の内部空間が全面的に開放され、排版ボックス７０内にある圧縮された孔版原紙は自重等により確実に外に落下してゴミ箱等に廃棄される。
【００７３】
そして、廃棄後には操作片９３と板部９１から指を離すだけで、天面部８５は自重で閉止方向に回動し、ストッパ部材９２はばね９６の付勢力で原位置に戻るので、ストッパ部材９２が再び操作部７８の係合部９７に係合し、天面部８５は底面部７２と略平行な状態に自動的にロックされる。
【００７４】
廃棄後、排版ボックス７０を再び排版ユニット５０に装着する場合には、天面部８５を下降させた状態で排版ボックス挿入室５４に挿入し、所定位置に設定後、手を離す。ばね８３の復元力により天面部８５が上昇して原位置に戻り、ロック部９８がロック係止部５５に係合してロックされる。操作部７８を掴まない限り排版ボックス７０は排版ユニット５０に確実に装着され、装置本体１０から不用意に外れる等の不都合は生じない。
【００７５】
＜実施形態の効果＞
本例の排版ボックス７０によれば、排版ボックス７０を片手で掴んで内部の版原紙を圧縮する際に必要な握力は、ばね８３の弾性力によって決まるので、適当なばね定数のばね８３を選定すれば、天面部８５の下降による圧縮に必要な力を簡易かつ精密に設定できる。
【００７６】
また排版ボックス７０の操作部７８を片手で掴んだ場合、天面部８５が連結された操作部７８はその両端部において一対の後壁７４ａ，７４ｂの案内孔８１，８１で安定して案内されているので、天面部８５は底面部７２と平行な状態を保って下降でき、排版ボックス７０の開口部７１は均一に閉止される。このため、排版ボックス７０を装置本体１０外で持ち運ぶ途中で版原紙がこぼれ落ちる問題もない。
【００７７】
さらにまた、操作部７８に設けられたばね８３は当然交換可能であるので、天面部８５の下降に必要な操作力が大きすぎる場合には、これを小さくするためにばね８３を交換することができる。また、使用によりばね８３の弾性が経年変化した場合にも交換することができる。
【００７８】
上記孔版原紙１８の廃棄作業において、排版ボックス７０が装置本体１０より引き出された際には、孔版原紙１８は底面部７２と天面部８５との間で圧縮され、挟持された状態であることから、外にあふれることがなく、孔版原紙１８の廃棄作業が容易にできる。
【００７９】
又、上記実施形態では、底面部７２と天面部８５との開口部７１の一端側には、前方方向で、且つ、互いに近接する方向に突出する握持爪部８５ａ，７２ａが設けられているので、開口部７１付近に位置する孔版原紙１８には開口部７１より内部に位置する孔版原紙１８よりも一対の握持爪部８５ａ，７２ａによって大きな圧縮力が作用するため、開口部７１付近の孔版原紙１８を確実に握持でき、孔版原紙１８の廃棄残し等による排版のジャミング防止に有効である。
【００８０】
又、上記実施形態では、ばね８３の付勢力に抗して天面部８５を下降させた状態で排版ボックス挿入室５４に排版ボックス７０を装着し、この装着位置で手を離せば、ばね８３の復元力で天面部８５が元の上方の位置に復帰して排版ボックス７０が排版ボックス挿入室５４から引き出せないようにロックされる。そして、このロックを解除するためには、ばね８３の付勢力に抗して天面部８５を下降させればよい。すなわち、排版ボックス７０の引き出し動作を行う際には、操作部７８の操作突起８０に親指を掛け、他の指を後壁７４の凹部７６に掛けて握り方向に力を入れれば、ばね８３の付勢力に抗しながら操作部７８は案内孔８１に沿って下降し、従って天面部８５は底面部７２に対して平行を保持した状態で下降する。これによって排版ボックス７０内の孔版原紙１８が圧縮挟持されると共にロック部９８のロックが解除となるので、片手で掴んだそのままの状態で該排版ボックス７０を装置本体１０外に取り出すことができる。
このように、本例によれば、ロック解除やロックするための操作を別個に行う必要がなく取扱いが容易である。
【００８１】
尚、上記実施形態では、排版ボックス７０側のロック部９８が突起形状を有し、装置本体１０側（排版ボックス挿入室５４側）のロック係止部５５が溝形状を有するが、逆に、排版ボックス７０側のロック部９８が溝形状で、装置本体１０側のロック係止部５５が突起形状であっても良い。但し、装置本体１０側のロック係止部が突起形状の場合にはロック時にロック係止部が天面部８５にあまりにも突出して孔版原紙１８の引き込み動作の支障にならないように設計する必要がある。
【００８２】
又、上記実施形態では、底面部７２と天面部８５の各内面には、孔版原紙１８が挿入する方向に沿って複数のリブ９９が設けられているので、内部に収容された孔版原紙１８がリブ９９を介してしか底面部７２や天面部８５に密着せず、密着面積が非常に小さいため、孔版原紙１８がインク等の粘着性等によって底面部７２や天面部８５に密着して取れにくいという事態を防止でき、廃棄作業がスムーズにできる。
【００８３】
又、上記実施形態では、一対の握持爪部８５ａ，７２ａの各内面にも、孔版原紙１８が挿入する方向に沿って複数のリブ９９が設けられているので、一対の握持爪部８５ａ，７２ａで握持された孔版原紙１８もリブ９９を介してしか各握持爪部８５ａ，７２ａに密着せず、密着面積が非常に小さいため、孔版原紙１８がインク等の粘着性等によって一対の握持爪部８５ａ，７２ａに密着して取れないという事態を防止でき、廃棄作業がスムーズにできる。
【００８４】
又、上記実施形態では、一対の握持爪部８５ａ，７２ａの先端側には、装置本体１０側の排版搬送ロール５２ａ、５２ｂとの干渉を避けるための凹部８５ｂ，７２ｂが設けられているので、排版搬送ロール５２ａ、５２ｂの搬送最下流の付近まで一対の握持爪部８５ａ，７２ａの先端を位置させることができるため、開口部７１付近の孔版原紙１８を確実に廃棄でき、孔版原紙１８の廃棄残し等による排版のジャミング防止に有効である。
【００８５】
尚、上記実施形態によれば、排版ボックス７０を孔版印刷装置１に使用した場合を示したが、印刷に使用した版原紙を収容する排版ボックスを装置本体に有する印刷装置に適用可能である。
【００８６】
【発明の効果】
請求項１に記載された排版ボックスによれば、天面部の下降による圧縮に必要な力を精密に設定できるので製造が容易であり、修理等に便利である。また、天面部と底面部の平行状態を保持して圧縮でき、開口部の閉止が一様なので、版原紙がこぼれ落ちる問題もなく、ワンタッチで開放できる天面部により版原紙の廃棄がさらに迅速・確実に行なえる。
【００８７】
請求項２に記載された排版ボックスによれば、さらに天面部を昇降させる基部を操作者の指がかかる操作部で操作し、操作部の両側が一対の案内手段で案内されているので、操作が安定し、天面部が実質的に底面部と平行を保持した状態で移動することができる。
【００８８】
請求項３に記載された排版ボックスによれば、天面部の位置固定を、移動可能なストッパ部材を付勢手段で付勢して操作部に係合させて行なう構成としたので、天面部の位置固定が機構的に確実で操作もワンタッチで行なえるという効果がある。
【００８９】
請求項４に記載された排版ボックスは、底面部と天面部の各両側部の空隙を側板で閉止しているので、廃棄された孔版原紙が当該空隙から外にこぼれ落ちにくいという効果がある。
【００９０】
請求項５に記載された孔版印刷装置によれば、請求項１〜４に記載の排版ボックスを着脱自在としているので、装着した排版ボックスについて以上説明したものと同様の効果が得られる。
【図面の簡単な説明】
【図１】図１は孔版印刷装置の全体概略構成図である。
【図２】図２は排版ユニットの斜視図である。
【図３】図３は排版ボックスの平面図である。
【図４】図４は排版ボックスの側面図である。
【図５】図５は排版ボックスの正面図である。
【図６】図６は排版ボックスの背面図である。
【図７】図７は図３のＡ−Ａ切断線における断面図である。
【図８】図８は図３のＢ−Ｂ切断線における断面図である。
【図９】図９は排版ボックスの前面側から見た斜視図である。
【図１０】図１０は排版ボックスの背面側から見た斜視図である。
【図１１】図１１は天面部が下降した状態にある排版ボックスの前面側から見た斜視図である。
【図１２】図１２は天面部が下降した状態にある排版ボックスの背面側から見た斜視図である。
【図１３】図１３は天面部が下降した状態にある排版ボックスの図７と同一の切断線における断面図である。
【図１４】図１４は天面部が下降した状態にある排版ボックスの図８と同一の切断線における断面図である。
【図１５】図１５は天面部を開放した状態にある排版ボックスの前面側から見た斜視図である。
【図１６】図１６は天面部を開放した状態にある排版ボックスの背面側から見た斜視図である。
【図１７】図１７は天面部を開放した状態にある排版ボックスの側面図である。
【図１８】図１８は天面部を開放した状態にある排版ボックスの図７と同一の切断線における断面図である。
【図１９】図１９は天面部を開放した状態にある排版ボックスの図８と同一の切断線における断面図である。
【図２０】第１従来例の排版ボックスの装着状態を示す概略構成図である。
【図２１】（Ａ），（Ｂ），（Ｃ）は、それぞれ第１従来例の排版ボックスによる孔版原紙の廃棄作業工程を示す斜視図である。
【図２２】第２従来例の排版ボックスの装着状態を示す概略構成図である。
【図２３】（Ａ），（Ｂ），（Ｃ）は、それぞれ第２従来例の排版ボックスによる孔版原紙の廃棄作業工程を示す斜視図である。
【図２４】本出願人が先に提案した排版ボックス及びその装着状態を示す断面図である。
【図２５】本出願人が先に提案した排版ボックスを手で把持した状態を示す斜視図である。
【符号の説明】
１…印刷装置としての孔版印刷装置
７０…排版ボックス
７２…開口部
７３…側板
７７…基部
７８…操作部
７９…案内手段
８３…弾性部材としてのコイルばね（ばね）
８５…天面部
８７…固定手段
９２…ストッパ部材
９６…付勢手段としてのコイルばね（ばね）
【図１】
2004249674.tif 000003
【図２】
2004249674.tif 000004
【図３】
2004249674.tif 000005
【図４】
2004249674.tif 000006
【図５】
2004249674.tif 000007
【図６】
2004249674.tif 000008
【図７】
2004249674.tif 000009
【図８】
2004249674.tif 000010
【図９】
2004249674.tif 000011
【図１０】
2004249674.tif 000012
【図１１】
2004249674.tif 000013
【図１２】
2004249674.tif 000014
【図１３】
2004249674.tif 000015
【図１４】
2004249674.tif 000016
【図１５】
2004249674.tif 000017
【図１６】
2004249674.tif 000018
【図１７】
2004249674.tif 000019
【図１８】
2004249674.tif 000020
【図１９】
2004249674.tif 000021
【図２０】
2004249674.tif 000022
【図２１】
2004249674.tif 000023
【図２２】
2004249674.tif 000024
【図２３】
2004249674.tif 000025
【図２４】
2004249674.tif 000026
【図２５】
2004249674.tif 000027